(57)【要約】【課題】流入される海水の潮位変化に拘わらず、設備に生じる圧力変動を適切に制御して、復水系統全体にかかる負荷を一定に保持することができる復水系統の制御方法及び復水系統の制御システムを提供する。【解決手段】発電設備の内部に設けられた蒸気タービンから排出された蒸気を冷却して凝縮させる復水器１０と、復水器１０に冷却水を供給する循環ポンプ１１と、循環ポンプ１１を介して復水器１０に冷却水を流入する冷却管１２とを備えた復水系統の制御システム１において、復水器１０の出口圧力を検出する圧力センサ１５と、冷却管１２と連通して復水器１０内の圧力変動を調整するバイパス路２２と、バイパス路２２に設けられて復水器１０内の圧力変動に応じて開閉されるバイパス弁２３と、復水器１０の出口圧力を調整する出口弁１６と、循環ポンプ１１から冷却水として供給される海水の潮位に関する変位情報及び圧力センサ１５で検出された出口圧力の値に応じて復水器１０の出口弁１６を制御する制御手段３０とを備える。【選択図】図１
2009030900.tif 000002
【特許請求の範囲】
【請求項１】
発電設備の内部に設けられた蒸気タービンから排出された蒸気を冷却して凝縮させる復水器と、前記復水器に冷却水を供給する循環ポンプと、前記循環ポンプを介して復水器に冷却水を流入する冷却管とを備えた復水系統の制御システムにおいて、
前記循環ポンプから冷却水として供給される海水の潮位に関する変位情報を制御パラメータとして、海水の潮位が基準値以上となったことが検出された場合に、前記復水器の出口弁を開いて前記冷却管の管内流速が一定の範囲内となるように復水器の出口圧力を制御することを特徴とする復水系統の制御方法。
【請求項２】
前記復水器内の圧力変動に応じて開閉されるバイパス弁を備え、前記出口弁の開度に変更があった場合に、出口弁の開度とバイパス弁の開度とが所定の相関関係を有するように前記バイパス弁の開度を調整するようにしたことを特徴とする請求項１に記載の復水系統の制御方法。
【請求項３】
発電設備の内部に設けられた蒸気タービンから排出された蒸気を冷却して凝縮させる復水器と、前記復水器に冷却水を供給する循環ポンプと、前記循環ポンプを介して復水器に冷却水を流入する冷却管とを備えた復水系統の制御システムにおいて、
前記復水器の出口圧力を検出する圧力センサと、前記冷却管と連通して復水器内の圧力変動を調整するバイパス路と、前記バイパス路に設けられて復水器内の圧力変動に応じて開閉されるバイパス弁と、前記復水器の出口圧力を調整する出口弁と、前記循環ポンプから冷却水として供給される海水の潮位に関する変位情報及び前記圧力センサで検出された出口圧力の値に応じて復水器の出口弁を制御する制御手段とを備えたことを特徴とする復水系統の制御システム。
【請求項４】
前記制御手段は、前記出口弁の開度情報を受信すると、出口弁及びバイパス弁の開度の相関関係が予め設定された基準プログラムに基づいて前記バイパス弁の開度を所定の範囲内となるように補正することを特徴とする請求項３に記載の復水系統の制御システム。
【請求項５】
前記制御手段は、冷却水として供給される海水の温度差が所定値以下である場合には、前記循環ポンプの電流値との関係において前記復水器の出口弁を開くように制御することを特徴とする請求項３又は４に記載の復水系統の制御システム。
【請求項６】
前記制御手段は、冷却水として供給される海水の温度差が所定値以上である場合には、前記バイパス弁を開くように制御する一方、復水器内の真空度が正常でない場合または循環ポンプの電流値が所定値以上である場合には、前記出口弁を開くように制御することを特徴とする請求項３〜５の何れか一項に記載の復水系統の制御システム。
【発明の詳細な説明】
【技術分野】
【０００１】
本発明は発電設備における復水系統の制御方法及び復水系統の制御システムに関し、復水器廻りの復水系統を総合的に制御する場合に適用して有用なものである。
【背景技術】
【０００２】
従来から、火力発電所、原子力発電所、コンバインドサイクル発電所などの蒸気タービンの復水器を有する発電プラントにおいては、海または河川に設けられた取水口と連結する循環ポンプによって、海または河川からの海水が冷却媒体（冷却水）として復水器に供給されるようになっている（例えば、特許文献１参照）。
【０００３】
このようなシステムでは、通常、復水器に冷却水を流入する冷却管の管内流速を制限するために、復水器の出口弁を一定開度とした運転を行っている。しかしながら、潮位によって海水面の高さが変化する場合など（以下、潮位変化という）、例えば、循環ポンプの圧力が０．０４〜０．１ＭＰａと大きく変化すると、冷却管内の圧力が急激に変動して、復水器の内部に設けられているチューブなどが損耗し易くなるという問題があった。
【０００４】
【特許文献１】特開２００１−０２１２７２号公報
【発明の開示】
【発明が解決しようとする課題】
【０００５】
本発明はかかる事情に鑑み、流入される海水の潮位変化に拘わらず、設備に生じる圧力変動を適切に制御して、復水系統全体にかかる負荷を一定に保持することができる復水系統の制御方法及び復水系統の制御システムを提供することを目的とする。
【課題を解決するための手段】
【０００６】
上記目的を達成するための本発明の第１の態様は、発電設備の内部に設けられた蒸気タービンから排出された蒸気を冷却して凝縮させる復水器と、前記復水器に冷却水を供給する循環ポンプと、前記循環ポンプを介して復水器に冷却水を流入する冷却管とを備えた復水系統の制御システムにおいて、前記循環ポンプから冷却水として供給される海水の潮位に関する変位情報を制御パラメータとして、海水の潮位が基準値以上となったことが検出された場合に、前記復水器の出口弁を開いて前記冷却管の管内流速が一定の範囲内となるように復水器の出口圧力を制御することを特徴とする復水系統の制御方法にある。
【０００７】
かかる第１の態様では、循環ポンプから冷却水として供給される海水の潮位に関する変位情報を制御パラメータとして出口弁を開いて冷却管の管内流速が一定の範囲内となるように復水器の出口圧力を制御することで、例えば、海水の潮位変化によって循環ポンプの圧力が大きく変化して冷却管内の圧力が急激に変動する場合であっても、復水器の内部に生じる圧力上昇を低減させることができる。
【０００８】
本発明の第２の態様は、前記復水器内の圧力変動に応じて開閉されるバイパス弁を備え、前記出口弁の開度に変更があった場合に、出口弁の開度とバイパス弁の開度とが所定の相関関係を有するように前記バイパス弁の開度を調整するようにしたことを特徴とする第１の態様に記載の復水系統の制御方法にある。
【０００９】
かかる第２の態様では、出口弁の開度の変更に応じてバイパス弁の開度を調整することで、例えば、海水の潮位変化によって循環ポンプの圧力が大きく変化して冷却管内の圧力が急激に変動する場合であっても、出口弁の開閉動作によって生じる圧力変動を抑制して負荷を一定に保持することができる。
【００１０】
本発明の第３の態様は、発電設備の内部に設けられた蒸気タービンから排出された蒸気を冷却して凝縮させる復水器と、前記復水器に冷却水を供給する循環ポンプと、前記循環ポンプを介して復水器に冷却水を流入する冷却管とを備えた復水系統の制御システムにおいて、前記復水器の出口圧力を検出する圧力センサと、前記冷却管と連通して復水器内の圧力変動を調整するバイパス路と、前記バイパス路に設けられて復水器内の圧力変動に応じて開閉されるバイパス弁と、前記復水器の出口圧力を調整する出口弁と、前記循環ポンプから冷却水として供給される海水の潮位に関する変位情報及び前記圧力センサで検出された出口圧力の値に応じて復水器の出口弁を制御する制御手段とを備えたことを特徴とする復水系統の制御システムにある。
【００１１】
かかる第３の態様では、循環ポンプから冷却水として供給される海水の潮位に関する変位情報及び復水器の出口圧力の値に応じて出口弁を制御することで、例えば、海水の潮位変化によって循環ポンプの圧力が大きく変化して冷却管内の圧力が急激に変動する場合であっても、復水器の内部に生じる圧力上昇を低減させることができる。
【００１２】
本発明の第４の態様は、前記制御手段は、前記出口弁の開度情報を受信すると、出口弁及びバイパス弁の開度の相関関係が予め設定された基準プログラムに基づいて前記バイパス弁の開度を所定の範囲内となるように補正することを特徴とする第３の態様に記載の復水系統の制御システムにある。
【００１３】
かかる第４の態様では、出口弁の開度情報を受信すると、バイパス弁の開度を所定の範囲内となるように補正することで、例えば、海水の潮位変化によって循環ポンプの圧力が大きく変化して冷却管内の圧力が急激に変動する場合であっても、出口弁の開閉動作によって生じる圧力変動をバイパス弁の開閉動作によって調整して負荷を一定に保持することができる。
【００１４】
本発明の第５の態様は、前記制御手段は、冷却水として供給される海水の温度差が所定値以下である場合には、前記循環ポンプの電流値との関係において前記復水器の出口弁を開くように制御することを特徴とする第３又は４の態様に記載の復水系統の制御システムにある。
【００１５】
かかる第５の態様では、冷却水として供給される海水の温度と循環ポンプの電流値との関係において出口弁を開くように制御することで、復水系統に生じる圧力変動をより安定させることができる。
【００１６】
本発明の第６の態様は、前記制御手段は、冷却水として供給される海水の温度差が所定値以上である場合には、前記バイパス弁を開くように制御する一方、復水器内の真空度が正常でない場合または循環ポンプの電流値が所定値以上である場合には、前記出口弁を開くように制御することを特徴とする第３〜５の何れか一つの態様に記載の復水系統の制御システムにある。
【００１７】
かかる第６の態様では、冷却水として供給される海水の温度、復水器内の真空度、及び循環ポンプの電流値との関係において出口弁を制御することで、復水系統に生じる圧力変動をより安定させることができる。
【発明の効果】
【００１８】
本発明によれば、復水系統の負荷に影響する海水の潮位に関する変位情報、海水の温度、循環ポンプの電流値、出口弁の開度、及び復水器の出口圧力などをパラメータとして出口弁及びバイパス弁の開度を制御するようにしたため、流入される海水の潮位変化に拘わらず、設備に生じる圧力変動を適切に制御して、復水系統全体にかかる負荷を一定に保持することができる復水系統の制御方法及び復水系統の制御システムを提供することができる。
【発明を実施するための最良の形態】
【００１９】
以下、本発明を実施するための最良の形態について説明する。なお、本実施形態の説明は例示であり、本発明は以下の説明に限定されない。
【００２０】
図１は、本実施形態に係る復水系統の構成を示す概略構成図である。なお、図１は蒸気タービンによる発電プラントの復水器廻りを循環する冷却水の流路を構成する復水系統の制御システムを示している。
【００２１】
図１に示すように、復水系統の制御システム１は、まず、図示しない発電設備の内部に設けられた蒸気タービンから排出された蒸気を冷却して凝縮させる復水器１０、復水器１０に冷却水を供給する循環ポンプ１１、循環ポンプ１１を介して復水器１０に冷却水を流入する冷却管１２を備えている。冷却管１２の入口側（上流側）には、海または河川からの海水を冷却媒体（冷却水）として取り入れる取水口１３が循環ポンプ１１と連結するように設けられている一方、冷却管１２の出口側（下流側）には、復水系統を循環した冷却水を海または河川に排出する放水口１４が設けられている。そして、復水器１０と出口弁１６との間の冷却管１２には、復水器１０の出口圧力を検出する圧力センサ１５が設けられている。圧力センサ１５は、検出した圧力値を所定の信号に変換して後述する制御手段３０に対して通知する。そして、冷却管１２を流れる冷却水の流量を調整するための手段として、復水器１０の出口圧力を調整する出口弁１６、復水器１０の入口圧力を調整する入口弁１７、及び循環ポンプ１１を介して復水系統の全体に供給される冷却水の流量を調整する流量調整弁１８が設けられている。
【００２２】
そして、冷却管１２から迂回してバイパス路２２が設けられており、バイパス路２２と冷却管１２とが連通することで復水器１０の内部に生じる圧力変動を調整することができるようになっている。バイパス路２２には、復水器１０内の圧力変動に応じて開閉されるバイパス弁２３が設けられており、後述する制御手段３０から出力される制御信号に基づいて弁の開度が調整されるようになっている。
【００２３】
制御手段３０は、循環ポンプ１１、圧力センサ１５、海水面の水位状態（潮位変化）を計測する水位計４０、取水口１３から流入される海水の温度を測定する温度センサ５０、及び図示しない発電機６０の制御部とそれぞれ接続されており、各種信号を制御パラメータとして受信（入力）できるようになっている。さらに、制御手段３０は、出口弁１６、入口弁１７、流量調整弁１８、及びバイパス弁２３とそれぞれ接続されており、制御信号を送信（出力）することで各弁の開度を制御することができるようになっている。なお、水位計４０は、基準となる基準潮位に対する変化量が計測できるものであればよく、例えば、センサなどであってもよい。また、温度センサ５０は、例えば、取水口１３から流入される海水の温度が平均的に把握できるように複数個所に設けるようにすればよい。
【００２４】
本実施形態では、制御手段３０として、出口弁１６を制御する出口弁制御手段３１と、バイパス弁２３を制御するバイパス弁制御手段３２とを備えており、制御信号を送信することで出口弁１６とバイパス弁２３とがそれぞれ制御できるようになっている。このうち、出口弁制御手段３１には、水位計４０で計測される海水の潮位に関する変位情報、循環ポンプ１１を駆動する際の電流値、及び圧力センサ１５で検出された圧力値が入力されるようになっている。一方、バイパス弁制御手段３２には、出口弁１６の開度を示す開度情報、温度センサ５０で測定された海水温度に関する温度情報、循環ポンプ１１を駆動する際の電流値、及び発電機６０の出力負荷が入力されるようになっている。これらの各種入力信号によって、出口弁１６及びバイパス弁２３の開度がそれぞれ調整される。なお、図１に示す例では、出口弁制御手段３１とバイパス弁制御手段３２とをそれぞれ設けて、出口弁１６とバイパス弁２３とを個別に制御する場合を例示しているが、勿論、出口弁制御手段３１及びバイパス弁制御手段３２は、お互いの受信情報が適宜入力されるように連携して出口弁１６又はバイパス弁２３を制御するようにしてもよい。
【００２５】
ここで、上述した潮位変化及び潮位に影響を与える循環ポンプ１１の特性について説明する。図２は、本実施形態に係る潮位の変位情報及び循環ポンプの特性を示すグラフである。
【００２６】
図２（ａ）には、潮位変化について海水面の状態（満潮または干潮）が時間の経過と共に示されている。ここでは、基準となる基準潮位に対する変化量が変位情報（ΔＰ）として示されている。本実施形態では、海水の潮位に関する変位情報（ΔＰ）が水位計４０によって計測されて、制御手段３０に通知されることで、変位情報（ΔＰ）を制御パラメータとして出口弁１６が適正な開度に調整される。
【００２７】
図２（ｂ）には、吐出圧力と流量との関係に基づく循環ポンプ１１の特性が示されている。すなわち、循環ポンプ１１は、吐出する圧力（吐出圧力）が増加すると流量が減少する一方、吐出する圧力が減少すると流量が増加するという性質を有する。このため、本実施形態では、後述するように循環ポンプ１１の電流値と他の制御パラメータとの関係において復水器１０の出口弁１６を適宜開閉するように調整することで、復水器１０内部の圧力を制御する。また、制御手段３０は、出口弁１６の開閉動作に関し、循環ポンプ１１の電流値のみを基準として制御してもよいし、他の制御パラメータとの組み合わせを基準として制御してもよい。循環ポンプ１１の電流値のみを基準とする場合は、例えば、循環ポンプ１１の流量に関係する循環ポンプ１１の回転数から電流値を予測して、循環ポンプ１１を介して供給される冷却水の流量を弁の開度によって調整することが考えられる。これにより、循環ポンプ１１から復水系統に対して供給（吐出）される冷却水の流量を低減させて、復水器１０内部の圧力を抑制することができる。
【００２８】
ここで、上述した潮位変化との関係において、出口弁１６及びバイパス弁２３の開度を制御する際の制御パラメータについて説明する。図３は、本実施形態に係る出口弁とバイパス弁の相関関係及び復水器の圧力変動と出口弁の開度との関係を示すグラフであり、図４は、本実施形態に係る復水器の出口弁の開度と海水温度又は発電機の出力との関係を示すグラフである。
【００２９】
図３（ａ）には、出口弁１６とバイパス弁２３の双方の開度の相関関係が予め設定された基準プログラムが示されている。ここで、基準プログラムは、出口弁１６とバイパス弁２３の上限値（上限開度）及び下限値（下限開度）の関係において、出口弁１６の上限開度及び下限開度、バイパス弁２３の上限開度で構成される範囲内で設定される。本実施形態の復水系統では、出口弁１６又はバイパス弁２３を絞る（後述する閉動作）と復水器１０内の圧力が上昇し、出口弁１６又はバイパス弁２３を開放する（後述する開動作）と復水器１０内の圧力が低下する。このため、基準プログラムに従って、出口弁１６の開閉動作によって復水器１０内に生じる圧力変動をバイパス弁２３で調整する必要がある。本実施形態では、制御手段３０は、出口弁１６の開度情報を受信すると、図３（ａ）に示す基準プログラムに基づいてバイパス弁２３の開度を所定の範囲内となるように補正する。例えば、出口弁１６が開放されるにつれて、バイパス弁２３が絞られるようになっている。
【００３０】
図３（ｂ）には、復水器１０内の圧力変動によって変化する出口弁１６の動作範囲が下限値（下限開度）と上限値（上限開度）で構成される範囲内で規定されている。ここで復水器１０内の圧力変動は、基準となる基準圧力に対して変動する範囲内で決定される。そして、例えば、図３（ｂ）に示された出口弁１６の下限開度及び上限開度を図３（ａ）に例示する基準プログラムと関連付けることで、出口弁１６の動作範囲内においてバイパス弁２３が適正な開度に補正される。なお、上述した基準プログラムは、例えば、図示しない制御テーブルに予め設定されるようにすればよい。
【００３１】
図４（ａ）には、取水口１３から流入される海水の海水温度と出口弁１６の開度との関係が例示されており、海水温度が上昇するにつれて、出口弁１６の開度が下限値（下限開度）と上限値（上限開度）とで構成される範囲内で調整される。この場合も同様に、図３（ａ）に例示された基準プログラムに従って、出口弁１６の開閉動作に応じてバイパス弁２３が適正な開度となるように補正される。本実施形態では、制御手段３０は、温度センサ５０が測定した海水の温度に関する温度情報を受信すると、受信した温度情報に基づいて出口弁１６又はバイパス弁２３が適正な開度となるように制御される。
【００３２】
図４（ｂ）には、発電機６０の出力負荷と出口弁１６の開度との関係が示されており、発電機６０の出力負荷が増加するにつれて、出口弁１６の開度が各基準ごとに開放されるようになっている。図４（ｂ）に示す例では、発電機６０の出力負荷を１／４、２／４、３／４、４／４と区分して設定しており、このような区分が出口弁１６を開放する際の基準となっている。
【００３３】
ここで、上述した各種制御パラメータに基づく復水系統の制御手順について説明する。図５は、本実施形態に係る復水系統の制御手順を示すフローチャートである。なお、図５に示す処理は、制御手段３０が主体となって実行する処理である。
【００３４】
図５に示すように、制御手段３０は、まず、復水系統を制御する際の各種条件を確認する（Ｓ１）。具体的には、出口弁１６の開度に影響を及ぼす通常運転時の循環ポンプ１１の台数又は復水器１０が逆洗中でないか等の事項が確認される。循環ポンプ１１の台数によって発電機６０の消費電力が異なり、出口弁１６の開度も異なってくるからである。
【００３５】
そして、各種条件等から出口弁１６の基準となる開度（基準開度）を決定する（Ｓ２）。出口弁１６の基準開度は、例えば、取水口１３から流入される海水の海水温度や発電機６０の出力負荷に応じて制御されるようにしてもよい（Ｓ２１、Ｓ２２）。この場合、例えば、図４（ａ）又は図４（ｂ）に例示したグラフに基づいて出口弁１６が適正な開度となるように決定すればよい。また、これらの情報は、温度センサ５０及び発電機６０の制御部から制御手段３０に適宜通知されるものである。
【００３６】
ここで、海水の潮位に関する変位情報（ΔＰ）及び復水器１０内の圧力値に基づいて、出口弁１６を開閉するか否かを判断する。具体的には、海水の潮位が基準値以上であるか否かが判定されて（Ｓ３）、基準値以上である場合（Ｓ３；Ｙｅｓ）には、復水器１０の出口弁１６が開動作する（開く）ように制御される（Ｓ４）。一方、基準値以下である場合（Ｓ３；Ｎｏ）には、復水器１０の出口弁１６が閉動作する（閉じる）ように制御される（Ｓ６）。ここでの基準値以上であるか否かの判断は、例えば、図２（ａ）に示すグラフに従って、基準潮位に対して変位情報（ΔＰ）がプラスであるかマイナスであるかを判定するようにすればよい。このようにして、本実施形態では、循環ポンプ１１から冷却水として供給される海水の潮位に関する変位情報（ΔＰ）を制御パラメータとして、復水器１０の出口弁１６を開いて冷却管１２の管内流速が一定の範囲内となるように復水器１０の出口圧力を制御することができる。
【００３７】
そして、復水器１０の出口圧力が基準値以上であるか否かが判定されて（Ｓ５）、基準値以上である場合（Ｓ５；Ｙｅｓ）には、復水器１０の出口弁１６が開動作する（開く）ように制御される（Ｓ４）。一方、基準値以下である場合（Ｓ５；Ｎｏ）には、復水器１０の出口弁１６が閉動作する（閉じる）ように制御される（Ｓ６）。ここでの基準値以下であるか否かの判断は、例えば、図３（ｂ）に示すグラフに従って、基準圧力に対して圧力センサ１５で検出された復水器１０の出口圧力がプラスであるかマイナスであるかを判定するようにすればよい。
【００３８】
上述のように、ステップＳ３及びステップＳ５における出口弁１６を開閉するか否かの判定は別々に実行されるようにしてもよいし、同時に実行されるようにしてもよい。同時に実行する場合は、例えば、論理積条件に基づいて判定することが考えられる。例えば、海水の潮位が基準値以上であり（Ｓ３；Ｙｅｓ）且つ復水器１０の出口圧力が基準値以上である場合（Ｓ５；Ｙｅｓ）には、復水器１０内部の圧力を低減させるように出口弁１６を開くように調整する一方（Ｓ４）、海水の潮位が基準値以下であり（Ｓ３；Ｎｏ）且つ復水器１０の出口圧力が基準値以下である場合（Ｓ５；Ｎｏ）には、出口弁１６を閉じるように調整する（Ｓ６）。
【００３９】
そして、ステップＳ４において出口弁１６を開くように制御した場合には、復水器１０のバイパス弁２３を閉じるように制御する（Ｓ７）一方、ステップＳ６において出口弁１６を閉じるように制御した場合には、復水器１０のバイパス弁２３を開くように制御する（Ｓ８）。このような制御は、例えば、図３（ａ）に例示した基準プログラム及び図３（ｂ）に例示した出口弁１６の動作範囲に基づいて実行される。このようにして、出口弁１６の開閉動作、すなわち出口弁１６の開度の変更に応じて、バイパス弁２３が開閉されることで、出口弁１６の開度とバイパス弁２３の開度とが所定の相関関係を有するようにバイパス弁２３の開度を適正に調整して、復水系統に生じる圧力変動を抑制することができる。
【００４０】
そして、ステップＳ７においてバイパス弁２３を閉じるように制御した場合には、温度センサ５０で測定された海水の温度差が所定値以下であるか否かが判断される（Ｓ９）。本実施形態では、海水の温度差が６．５℃以下であるか否かを判断の基準としている。ここで、海水の温度差が６．５℃以下である場合（Ｓ９；Ｙｅｓ）には、循環ポンプ１１の電流値が制限値以下であるか否かが確認されて（Ｓ１０）、制限値以下でない場合（Ｓ１０；Ｎｏ）には、出口弁１６を開くように制御する（Ｓ４）。すなわち、循環ポンプ１１の電流値から復水器１０内の圧力状態を判断して、制限値を超えている場合（Ｓ１０；Ｎｏ）には、出口弁１６を開放して循環ポンプ１１の流量を増加させることで、復水器１０内の圧力を低減させるように制御する（図２（ｂ）参照）。一方、制限値以下である（Ｓ１０；Ｙｅｓ）場合には、ステップＳ２以降の処理に移行する。ここでステップＳ９の処理については、例えば、図４（ａ）に示すようなグラフを図３（ａ）に示す基準プログラムと対応付けることで、バイパス弁２３の開度が出口弁１６の開度に対して適正となるように調整すればよい。この場合、図４（ａ）に示す縦軸の海水温度が温度差の情報に予め設定されたデータを用いるようにすればよい。
【００４１】
また、ステップＳ８においてバイパス弁２３を開くように制御した場合には、復水器１０内の真空度が正常であるか否かが判断される（Ｓ１１）。ここでいう真空度に関する判断は、例えば、圧力センサ１５で検出される圧力値に基づいて実行するようにすればよい。
【００４２】
復水器１０内の真空度が正常な場合（Ｓ１１；Ｙｅｓ）には、循環ポンプ１１の電流値が制限値以下であるか否かが確認されて（Ｓ１２）、制限値以下でない場合（Ｓ１２；Ｎｏ）には、出口弁１６を開くように制御する（Ｓ４）。すなわち、出口弁１６を閉じて（Ｓ６）バイパス弁２３を開いた場合（Ｓ８）には、復水器１０内の真空度が正常であることを確認した上で（Ｓ１１）、循環ポンプ１１の電流値から復水器１０内の圧力状態を判断して、制限値を超えている場合（Ｓ１２；Ｎｏ）には、出口弁１６を所定開度分だけ開放して循環ポンプ１１の流量を増加させることで、出口弁１６及びバイパス弁２３の開閉動作によって復水系統に生じる圧力変動を安定させるように制御する（図２（ｂ）参照）。この場合、例えば、図３（ｂ）に示すグラフに基づいて復水器１０内の圧力に対して出口弁１６を所定開度分だけ開放するようことが考えられる。一方、制限値以下である（Ｓ１２；Ｙｅｓ）場合には、ステップＳ２以降の処理に移行する。
【００４３】
以上説明したように、本実施形態では、復水系統の負荷に影響する海水の潮位に関する変位情報（ΔＰ）、海水の温度、循環ポンプ１１の電流値、出口弁１６の開度、復水器１０の出口圧力、及び発電機６０の出力負荷などをパラメータとして出口弁１６及びバイパス弁２３の開度がそれぞれ適正となるように制御するようにしたため、循環ポンプ１１を介して供給される海水に潮位変化があり、循環ポンプ１１の圧力が大きく変化して冷却管１２内の圧力が急激に変動した場合であっても、圧力変動を抑制して復水系統にかかる圧力負荷を均一に保持することができる。これにより、例えば、復水器１０の内部に設けられているチューブなどの損耗を抑制することができる。
【図面の簡単な説明】
【００４４】
【図１】本実施形態に係る復水系統の構成を示す概略構成図である。
【図２】本実施形態に係る潮位の変位情報及び循環ポンプの特性を示すグラフである。
【図３】本実施形態に係る出口弁とバイパス弁の相関関係及び復水器の圧力変動と出口弁の開度との関係を示すグラフである。
【図４】本実施形態に係る復水器の出口弁の開度と海水温度又は発電機の出力との関係を示すグラフである。
【図５】本実施形態に係る復水系統の制御手順を示すフローチャートである。
【符号の説明】
【００４５】
１０  復水器
１１  循環ポンプ
１２  冷却管
１３  取水口
１４  放水口
１５  圧力センサ
１６  出口弁
１７  入口弁
１８  流量調整弁
２２  バイパス路
２３  バイパス弁
３０  制御手段
３１  出口弁制御手段
３２  バイパス弁制御手段
４０  水位計
５０  温度センサ
６０  発電機
【図１】
2009030900.tif 000003
【図２】
2009030900.tif 000004
【図３】
2009030900.tif 000005
【図４】
2009030900.tif 000006
【図５】
2009030900.tif 000007